【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
ＭＲ撮像の方法において、
対象に第１の撮像シーケンスを行うことによりプリスキャンにおいて化学シフト符号化エコー信号を生成及び取得するステップと、
前記プリスキャンの前記エコー信号から脂肪割合マップを得るステップと、
前記対象に第２の撮像シーケンスを行うことにより臨床スキャンにおいて化学シフト符号化エコー信号を生成及び取得するステップと、
前記脂肪割合マップから及び前記臨床スキャンの前記エコー信号から磁場マップ推定を得るステップと、
前記臨床スキャンの前記エコー信号からＭＲ画像を再構成するステップであって、脂肪及び水からの信号寄与が前記磁場マップ推定に基づいて分離される、ステップと、
を有する方法。
【請求項２】
ＭＲ撮像の方法において、
対象に第１の撮像シーケンスを行うことによりプリスキャンにおいて化学シフト符号化エコー信号を生成及び取得するステップと、
前記プリスキャンの前記エコー信号から脂肪割合マップを得るステップと、
前記対象に第２の撮像シーケンスを行うことにより臨床スキャンにおいて化学シフト符号化エコー信号を生成及び取得するステップであって、単一のエコー時間において前記臨床スキャンの前記エコー信号を生成する、ステップと、
前記脂肪割合マップから及び前記臨床スキャンの前記エコー信号から磁場マップ推定を得るステップと、
前記臨床スキャンの前記エコー信号からＭＲ画像を再構成するステップであって、脂肪及び水からの信号寄与が、単点ディクソン技術を使用して及び前記磁場マップ推定に基づいて、分離される、ステップと、
を有する方法。
【請求項３】
前記第１の撮像シーケンスが、２以上の異なるエコー時間において前記プレスキャンの前記エコー信号を生成し、前記脂肪割合マップが、二点又は多点ディクソン技術を使用して得られる、請求項１又は２に記載の方法。
【請求項４】
前記第２の撮像シーケンスが、２以上の異なるエコー時間において前記臨床スキャンの前記エコー信号を生成し、前記脂肪及び水からの信号寄与が、二又は多点ディクソン技術を使用して分離される、請求項１又は２に記載の方法。
【請求項５】
前記プリスキャンの空間解像度が、前記臨床スキャンの空間解像度より低い、請求項１乃至４のいずれか一項に記載の方法。
【請求項６】
前記磁場マップ推定が、前記プリスキャンの空間解像度において得られる、請求項５に記載の方法。
【請求項７】
前記磁場マップ推定が、前記ＭＲ画像を再構成するステップにおいて前記脂肪及び水からの信号寄与を分離する前に補間により前記臨床スキャンの空間解像度において計算される、請求項６に記載の方法。
【請求項８】
前記ＭＲ画像を再構成するステップにおいて前記脂肪及び水からの信号寄与を分離する前に前記磁場マップ推定に平滑化が適用される、請求項１乃至７のいずれか一項に記載の方法。
【請求項９】
前記脂肪割合マップが、前記プリスキャン及び前記臨床スキャンのシーケンスパラメータ及び組織タイプの情報を使用して、前記プリスキャンと前記臨床スキャンとの間のコントラスト重みづけの差について修正される、請求項１乃至８のいずれか一項に記載の方法。
【請求項１０】
請求項１乃至９のいずれか一項に記載の方法を実行するＭＲ装置において、前記ＭＲ装置が、検査体積内で静止主磁場を生成する少なくとも１つの主磁石コイルと、前記検査体積内で異なる空間的方向において切り替え磁場勾配を生成する複数の勾配コイルと、前記検査体積内でＲＦパルスを生成する及び／又は前記検査体積内に配置された対象からＭＲ信号を受信する少なくとも１つのＲＦコイルと、ＲＦパルス及び切り替え磁場勾配の時間的な並びを制御する制御ユニットと、前記受信されたＭＲ信号からＭＲ画像を再構成する再構成ユニットとを含み、前記ＭＲ装置が、
前記対象に第１の撮像シーケンスを行うことによりプリスキャンにおいて化学シフト符号化エコー信号を生成及び取得するステップと、
前記プリスキャンの前記エコー信号から脂肪割合マップを得るステップと、
前記対象に第２の撮像シーケンスを行うことにより臨床スキャンにおいて化学シフト符号化エコー信号を生成及び取得するステップと、
前記脂肪割合マップから及び前記臨床スキャンの前記エコー信号から磁場マップ推定を得るステップと、
前記臨床スキャンの前記エコー信号からＭＲ画像を再構成するステップであって、脂肪及び水からの信号寄与が前記磁場マップ推定に基づいて分離される、ステップと、
を実行するように構成される、ＭＲ装置。
【請求項１１】
ＭＲ装置上で実行されるコンピュータプログラムにおいて、
前記対象に第１の撮像シーケンスを行うことによりプリスキャンにおいて化学シフト符号化エコー信号を生成及び取得する命令と、
前記プリスキャンの前記エコー信号から脂肪割合マップを得る命令と、
前記対象に第２の撮像シーケンスを行うことにより臨床スキャンにおいて化学シフト符号化エコー信号を生成及び取得する命令と、
前記脂肪割合マップから及び前記臨床スキャンの前記エコー信号から磁場マップ推定を得る命令と、
前記臨床スキャンの前記エコー信号からＭＲ画像を再構成する命令であって、脂肪及び水からの信号寄与が前記磁場マップ推定に基づいて分離される、命令と、
を有するコンピュータプログラム。
【請求項１２】
請求項１乃至９のいずれか一項に記載の方法を実行するＭＲ装置において、前記ＭＲ装置が、検査体積内で静止主磁場を生成する少なくとも１つの主磁石コイルと、前記検査体積内で異なる空間的方向において切り替え磁場勾配を生成する複数の勾配コイルと、前記検査体積内でＲＦパルスを生成する及び／又は前記検査体積内に配置された対象からＭＲ信号を受信する少なくとも１つのＲＦコイルと、ＲＦパルス及び切り替え磁場勾配の時間的な並びを制御する制御ユニットと、前記受信されたＭＲ信号からＭＲ画像を再構成する再構成ユニットとを含み、前記ＭＲ装置が、
前記対象に第１の撮像シーケンスを行うことによりプリスキャンにおいて化学シフト符号化エコー信号を生成及び取得するステップと、
前記プリスキャンの前記エコー信号から脂肪割合マップを得るステップと、
前記対象に第２の撮像シーケンスを行うことにより、臨床スキャンにおいてエコー信号を生成及び取得するステップであって、単一のエコー時間において前記臨床スキャンの前記エコー信号を生成する、ステップと、
前記脂肪割合マップから及び前記臨床スキャンの前記エコー信号から磁場マップ推定を得るステップと、
前記臨床スキャンの前記エコー信号からＭＲ画像を再構成するステップであって、脂肪及び水からの信号寄与が、単点ディクソン技術を使用して及び前記磁場マップ推定に基づいて、分離される、ステップと、
を実行するように構成される、ＭＲ装置。
【請求項１３】
ＭＲ装置上で実行されるコンピュータプログラムにおいて、
前記対象に第１の撮像シーケンスを行うことによりプリスキャンにおいて化学シフト符号化エコー信号を生成及び取得する命令と、
前記プリスキャンの前記エコー信号から脂肪割合マップを得る命令と、
前記対象に第２の撮像シーケンスを行うことにより臨床スキャンにおいてエコー信号を生成及び取得する命令であって、単一のエコー時間において前記臨床スキャンの前記エコー信号を生成する、命令と、
前記脂肪割合マップから及び前記臨床スキャンの前記エコー信号から磁場マップ推定を得る命令と、
前記臨床スキャンの前記エコー信号からＭＲ画像を再構成する命令であって、脂肪及び水からの信号寄与が、単点ディクソン技術を使用して及び前記磁場マップ推定に基づいて、分離される、命令と、
を有するコンピュータプログラム。